(57)【要約】【課題】遊技球を案内する経路を簡易な機構で切り替えることができる遊技機を提供する。【解決手段】パチンコ機は、案内部材１００、回転体５０、作動部材６０、及び移動部材８０を備える。案内部材１００は、第一案内位置にある場合には遊技球Ｐを第一経路に案内し、第二案内位置にある場合には遊技球Ｐを第二経路４２に案内する。回転体５０は、遊技球Ｐが流下する力で回転し、作動部材６０を上方に回転移動させる。作動部材６０によって回転させられる移動部材８０は、案内部材１００を第一案内位置から第二案内位置まで回転させる。つまり、案内部材１００は、遊技球Ｐが流下する力によって、第一案内位置から第二案内位置に回転する。【選択図】図７
2019170806.tif 000002
【特許請求の範囲】
【請求項１】
遊技球を第一経路に案内する第一案内位置と、前記遊技球を前記第一経路とは異なる第二経路に案内する第二案内位置との間を移動する案内部材と、
前記第一経路に案内される前記遊技球との接触によって回転する回転体と、
前記案内部材に摺動可能に接触し、前記回転体の回転力によって移動し、前記案内部材を前記第一案内位置から前記第二案内位置に移動させる移動部材と
を備えることを特徴とする遊技機。
【請求項２】
前記回転体に接触し、前記回転体の回転によって上下方向に移動することで、前記移動部材を付勢する作動部材を備え、
前記作動部材の付勢によって移動する前記移動部材は、前記案内部材を前記第一案内位置から前記第二案内位置に移動させることを特徴とする請求項１に記載の遊技機。
【請求項３】
前記案内部材を前記第一案内位置から前記第二案内位置に移動させるときの前記移動部材の移動方向とは反対方向から、前記移動部材に対向する対向部材を備えることを特徴とする請求項１又は２に記載の遊技機。
【発明の詳細な説明】
【技術分野】
【０００１】
本発明は遊技機に関する。
【背景技術】
【０００２】
従来、遊技球を案内する経路を切り替える遊技機が知られている。例えば、特許文献１に開示される遊技機は、モータ、右回転体、及び、左回転体を備える。右回転体は、モータの駆動力により回転する。右回転体は、その回転位置に応じて、受け入れた遊技球を、左回転体へと至る経路、又は、左回転体とは異なる部材へと至る経路のいずれかに案内する。
【先行技術文献】
【特許文献】
【０００３】
【特許文献１】特開２００８−２３２０６号公報
【発明の概要】
【発明が解決しようとする課題】
【０００４】
上記遊技機は、右回転体の駆動源となるモータを備える必要がある。従って、遊技機の機構が複雑になる可能性がある。
【０００５】
本発明の目的は、遊技球を案内する経路を簡易な機構で切り替えることができる遊技機を提供することである。
【課題を解決するための手段】
【０００６】
本発明の遊技機は、遊技球を第一経路に案内する第一案内位置と、前記遊技球を前記第一経路とは異なる第二経路に案内する第二案内位置との間を移動する案内部材と、前記第一経路に案内される前記遊技球との接触によって回転する回転体と、前記案内部材に摺動可能に接触し、前記回転体の回転力によって移動し、前記案内部材を前記第一案内位置から前記第二案内位置に移動させる移動部材とを備えることを特徴とする。
【０００７】
上記構成によれば、案内部材は、遊技球が流下する力で、第一案内位置から第二案内位置に移動する。よって、遊技機は遊技球を案内する経路を簡易な機構で切り替えることができる。
【０００８】
前記遊技機は、前記回転体に接触し、前記回転体の回転によって上下方向に移動することで、前記移動部材を付勢する作動部材を備え、前記作動部材の付勢によって移動する前記移動部材は、前記案内部材を前記第一案内位置から前記第二案内位置に移動させてもよい。この場合、回転体の回転力で作動部材が上下方向に移動するので、移動部材は、上下方向に移動し易くなる。
【０００９】
前記遊技機において、前記案内部材を前記第一案内位置から前記第二案内位置に移動させるときの前記移動部材の移動方向とは反対方向から、前記移動部材に対向する対向部材を備えてもよい。案内部材が誤作動で第一案内位置から第二案内位置に移動するのを抑制できる。
【図面の簡単な説明】
【００１０】
【図１】パチンコ機１の正面図である。
【図２】遊技盤２の正面図である。
【図３】入球装置３０の斜視図である。
【図４】入球装置３０の断面斜視図である。
【図５】回転体５０と可動部材７０の斜視図である。
【図６】移動部材８０、規制部材９０、及び案内部材１００の斜視図である。
【図７】閉状態の入球装置３０の断面図である。
【図８】閉状態と開状態の間を変化する入球装置３０の流れを示す説明図である。
【図９】図８に続く、入球装置３０の流れを示す説明図である。
【図１０】回転体１５０の模式的な右側面図である。
【図１１】入球装置１３０の右側面図である。
【発明を実施するための形態】
【００１１】
以下、本発明に係る遊技機の実施形態の一例であるパチンコ機１について、図面を参照して説明する。
【００１２】
図１および図２を参照して、パチンコ機１の機械的構成について説明する。パチンコ機１の上半分の部分には遊技盤２が設けられている。遊技盤２は略正方形であり（図２参照）、透明なガラス板を保持したガラス枠１３によって前面を保護されている。遊技盤２の下方部には、発射機に遊技球Ｐを供給し、且つ賞球を受ける上皿５が設けられている。上皿５の直下には、賞球を受ける下皿６が設けられている。下皿６の右横には、遊技球の発射を調整する発射ハンドル７が設けられている。ガラス枠１３の上部の左右の角にはスピーカ４８がそれぞれ設けられている。
【００１３】
遊技盤２の前面には、ガイドレール３で囲まれた略円形の遊技領域４が形成されている。遊技領域４には、枠体６７が取り付けられている。枠体６７の上部は、円弧状に湾曲した形成されたガイドレール２０である。遊技領域４の下部には、上方から順に、第一特別図柄始動電動役物１４及びアウト口１９が設けられている。遊技領域４の右部には、普通電動役物１８が設けられる。普通電動役物１８に入球した遊技球Ｐは、振分装置（図示略）によって、排出流路（図示略）又は後述の第三経路４３（図３参照）に振り分けられる。普通電動役物１８の下方には、二つの入球装置３０が上下方向に並ぶ。入球装置３０は、所定タイミングで遊技球Ｐが入球可能となる装置である。入球装置３０の詳細は後述する。
【００１４】
図示しないが、パチンコ機１の背面側には制御部（図示略）が設けられている。制御部は、主基板、サブ制御基板、及び払出制御基板等を備える。各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。サブ制御基板は、主基板から受信するコマンドに従って、表示装置２８等を駆動制御する。主基板は、第一特別図柄始動電動役物１４等に接続されている。サブ制御基板は、主基板で行われた各種判定の結果等に基づいて、各種演出動作を実行する。サブ制御基板は、表示装置２８の表示制御を行う演出制御基板等に接続されている。払出制御基板は、パチンコ機１に設けられた賞球払出装置（図示略）を、主制御基板から送信されるコマンドに応じて駆動し、賞球としての遊技球を上皿５に払い出させる。
【００１５】
図２、図３を参照し、入球装置３０の概要を説明する。入球装置３０の前部には、上下方向に開口する開口穴４９が形成される。開口穴４９に進入した遊技球Ｐは、入球し損ねると下方にある第一経路４１を流下し、入球すると後方にある第二経路４２を流下する。入球装置３０は、閉状態と開状態の間で変化する。遊技球Ｐは、閉状態である入球装置３０には入球できない。そして、入球装置３０の後部に形成された第三経路４３を流下する遊技球Ｐの力によって、入球装置３０は閉状態から開状態に切り替わる。入球装置３０は、所定の球数である規定球数が入球すると、第二経路４２を流下する遊技球Ｐの力によって開状態から閉状態に変化する。つまり、入球装置３０の状態（開状態と閉状態）は、遊技球Ｐの流下する力によって切り替わる。
【００１６】
図３〜図７を参照し、入球装置３０の構造を説明する。以下では、入球装置３０の閉状態を基準にして、構造説明する。
【００１７】
図３、図４に示すように、入球装置３０は、前壁部３９、誘導部３８、及び筐体４０を備える。前壁部３９は正面視で矩形状の板状体である。誘導部３８は、前壁部３９を前後方向に貫通する入球口３９Ａを前方から覆うように設けられた略箱状である。誘導部３８と前壁部３９とによって、上下方向に開口する開口穴４９が形成される。開口穴４９の内側には上方から順に、凸部３１と傾斜部３２とが設けられる。凸部３１は、前壁部３９から前方に突出し、左右方向に延びる。傾斜部３２は、凸部３１の前下方且つ入球口３９Ａの前上方に配置される。傾斜部３２は下側に向けて後方へ傾斜する。入球口３９Ａの上方となる前壁部３９後面には、緩衝材３７が固定される。緩衝材３７は、衝撃を吸収可能な部材であり、本実施形態では弾性変形可能な部材によって形成される。
【００１８】
筐体４０は前壁部３９の後方に設けられる。筐体４０は、左右方向に沿って隙間を空けて配置された一対の側壁部４５と、一対の側壁部４５の上端部を連結する連結壁部４４とを備える。入球口３９Ａを通過した遊技球Ｐは、一対の側壁部４５の間に形成された第二経路４２を流下する（矢印Ａ）。入球口３９Ａに入球し損ねた遊技球Ｐは、第一経路４１を流下する（矢印Ｂ）。一対の側壁部４５には、左右方向を軸方向とする軸部材５９，６９，７９，８９，９９（後述）が固定される。
【００１９】
また、筐体４０の後部には上下方向に延びる第三経路４３が形成される。第三経路４３は、普通電動役物１８に入球する遊技球Ｐの流下経路と連通しており、この流下経路に設けられた振分装置（図示略）によって振り分けられた特定の遊技球Ｐのみが、第三経路４３を流下する（矢印Ｃ）。第三経路４３の左側の内壁上部には、案内部４３Ａが設けられる。案内部４３Ａは、下側に向けて第三経路４３の内側（本実施形態では右側）へ傾斜する平面である。
【００２０】
図４に示すように、一対の側壁部４５の間には、回転体５０、作動部材６０、移動部材８０、可動部材７０、規制部材９０、及び案内部材１００（図６参照）が設けられる。
【００２１】
図４、図５に示すように、回転体５０は入球口３９Ａの後下方に配置される。回転体５０は、一対の側壁部４５に固定された軸部材５９によって、回転自在に支持される。回転体５０は、六つの当接部５３、三つの第一対向部５１、及び三つの第二対向部５２を備える。当接部５３は、回転体５０の左右方向中央部に形成される。当接部５３は、軸部材５９に向けて凹む円弧状の湾曲面であり、遊技球Ｐの半径と略同じ曲率半径を有する。六つの当接部５３は、軸部材５９を中心とした周方向に沿って等間隔に配置される。
【００２２】
三つの第一対向部５１は、当接部５３の右側に配置されると共に、軸部材５９を中心とした周方向に沿って等間隔に配置される。各第一対向部５１は、周方向に沿って隣接し合う二つの当接部５３の連結部分と、左右方向に隣り合う。各第一対向部５１の形状は、軸部材５９の周方向に対称な形状である。各第一対向部５１は、軸部材５９から離間するに従って先細る。三つの第二対向部５２は、当接部５３の左側に配置される。三つの第二対向部５２は三つの第一対向部５１と互いに左右対称である。
【００２３】
軸部材５９の周方向における第一対向部５１の両端面のうちで、軸部材５９の径方向外側部分は、当接部５３の径方向外側端部と単一の湾曲面を形成する。第一対向部５１と左右対称な第二対向部５２の両端面についても同様である。つまり、第一対向部５１、第二対向部５２、及び当接部５３によって形成される湾曲する面が合計で六つある。これら六つの湾曲する面のうちで、右側面視で反時計回り側における第一対向部５１と第二対向部５２との端面、及び、当接部５３によって形成される湾曲する面を「湾曲面Ｓ」と称す（図５参照）。湾曲面Ｓは、合計で三つ形成される。
【００２４】
図４に示すように、作動部材６０は、軸部材５９の後上方で一対の側壁部４５に固定された軸部材６９によって、回転自在に支持される。作動部材６０は、筒状部６２と突出部６３を備える。筒状部６２は、左右方向に沿う円筒状である。筒状部６２は、軸部材６９の前方、且つ回転体５０の後上方に配置される。筒状部６２が湾曲面Ｓに摺動可能に上方から接触することで、作動部材６０は回転体５０の回転を規制する。突出部６３は、筒状部６２から上方に突出する。作動部材６０の重心位置は軸部材６９よりも前方であり、筒状部６２が回転体５０に接触する位置で作動部材６０は位置決めされている。
【００２５】
回転体５０の回転位置について説明する。回転体５０の回転位置は、非作動回転位置（図７、図８（ａ）、図９（ｂ）参照）と、作動回転位置（図８（ｃ）参照）とに切り替わる。非作動回転位置は、いずれかの第一対向部５１と第二対向部５２とが、作動部材６０の筒状部６２に下方から接触する回転体５０の回転位置である。作動回転位置は、いずれかの第一対向部５１と第二対向部５２とが、前方から作動部材６０の筒状部６２に接触する回転体５０の回転位置である。回転体５０が略６０°回転する度に、回転体５０の回転位置は切り替わる。
【００２６】
図４、図６に示すように、移動部材８０は、軸部材６９の後上方で一対の側壁部４５に固定された軸部材８９によって、回転自在に支持される。移動部材８０は、球当接部８１、板部８３、開口部８４、及びピン８５を備える。球当接部８１は、軸部材８９の後方に設けられた板状体であり、軸部材８９の周方向に厚さを有する。球当接部８１は、第三経路４３を流下する遊技球Ｐと接触可能である。球当接部８１には、球当接部８１の厚さ方向に開放された孔８１Ａが形成される。板部８３は、軸部材８９の前側に設けられた板状体であり、軸部材８９の周方向に厚さを有する。開口部８４は、板部８３を厚さ方向に貫通する。以下、開口部８４を取り囲む板部８３の内表面のうちで、軸部材８９側にある内表面を「内面８４Ａ」と称す。ピン８５は、板部８３のうちで軸部材８９とは反対側の端部に固定され、左右方向に延びる。移動部材８０の重心位置は軸部材８９の前側にある。板部８３が作動部材６０の突出部６３の上端に接触する回転位置で移動部材８０は位置決めされている。
【００２７】
図４、図５、図７に示すように、可動部材７０は、軸部材８９の前上方で一対の側壁部４５に固定された軸部材７９によって、回転自在に支持される。可動部材７０は、円筒部７２、壁部７３、及び一対のフック部７５を備える。円筒部７２は、軸部材７９の前側、且つ緩衝材３７の上方に配置される。円筒部７２は左右方向に沿う。壁部７３は、円筒部７２の下方に配置されており、軸部材７９を中心とした周方向に厚さを有する。一対のフック部７５は、壁部７３から下方に延びると共に、左右方向に沿って隙間を空けて配置される。一対のフック部７５は、第一対向部５１及び第二対向部５２と同じ左右方向位置にある。円筒部７２の内部には重り７８が収容されており、可動部材７０の重心位置は軸部材８９よりも前側にある。壁部７３が前方から移動部材８０のピン８５に接触する回転位置で可動部材７０は位置決めされている。
【００２８】
可動部材７０は、第一規制位置（図８（ａ）参照）と退避位置（図７参照）との間を、第二規制位置（図９（ａ）参照）を経由して回転移動する。第一規制位置（図８（ａ）参照）は、一対のフック部７５が、作動部材６０の筒状部６２に前方から近接して対向する可動部材７０の回転位置である。このとき、一対のフック部７５は、筒状部６２に摺動可能に接触し、且つ、円筒部７２は緩衝材３７に上方から接触する。一対のフック部７５と筒状部６２との接触により、第一規制位置にある可動部材７０は、作動部材６０の上方への移動を規制できる（つまり、第一規制位置にある可動部材７０は回転体５０の回転を規制できる）。可動部材７０が第一規制位置にあるとき、回転体５０の回転位置は非作動回転位置である。
【００２９】
退避位置（図７参照）は、第一規制位置から後方に退避した可動部材７０の回転位置である。このとき、一対のフック部７５は、回転体５０の後上方に配置され、円筒部７２は緩衝材３７から上方に離間する。退避位置にある可動部材７０は、作動部材６０の上下動と、回転体５０の回転を規制しない。可動部材７０が退避位置にあるとき、回転体５０の回転位置は非作動回転位置である。
【００３０】
第二規制位置（図９（ａ）参照）は、第一規制位置よりも僅かに後方となる可動部材７０の回転位置である。このとき、一対のフック部７５は、それぞれ、第一対向部５１と第二対向部５２とに接触し、円筒部７２は緩衝材３７から上方に離間する。一対のフック部７５と第一対向部５１及び第二対向部５２との接触により、第二規制位置にある可動部材７０は回転体５０の回転を規制できる（つまり、第二規制位置にある可動部材７０は作動部材６０の上方への移動を規制できる）。可動部材７０が第二規制位置にあるとき、回転体５０の回転位置は、作動回転位置である。
【００３１】
図４、図６に示すように、規制部材９０は、軸部材８９の前上方で一対の側壁部４５に固定された軸部材９９によって、回転自在に支持される。規制部材９０は、球当接部９１、筒状部９２、及び接触突部９３を備える。球当接部９１は、軸部材９９の後方に設けられた板状体であり、第三経路４３に進入する。球当接部９１は、移動部材８０の孔８１Ａに進入可能である。筒状部９２は、軸部材９９の前下方に配置された左右方向に延びる円筒状である。接触突部９３は、筒状部９２から下側に突出する。接触突部９３は、移動部材８０の内面８４Ａよりも後方にあり、微小な隙間を空けて板部８３に上方から対向する。筒状部９２は内部に重り９８を収容する。これにより、規制部材９０の重心位置は、軸部材９９よりも前側となる。規制部材９０は、球当接部９１が筐体４０の連結壁部４４の下端に接触する回転位置で位置決めされる。
【００３２】
図６に示すように、案内部材１００は、開口穴４９（図３参照）に進入した遊技球Ｐを第一経路４１又は第二経路４２に案内する部材である。案内部材１００は、一対の対向壁部１０５、一対の支軸部１０９、一対の摺動孔１０７、及び一対の連結棒１０８を備える。一対の対向壁部１０５は、左右方向に隙間を空けて対向する。一対の対向壁部１０５の間には、可動部材７０の一対のフック部７５が配置される。一対の支軸部１０９はそれぞれ一対の対向壁部１０５から左右方向外側に向けて突出する円柱体であり、誘導部３８（図３参照）によって回転自在に支持される。一対の摺動孔１０７はそれぞれ一対の対向壁部１０５を左右方向に貫通しており、前後方向に延びる。一対の摺動孔１０７には、移動部材８０のピン８５が摺動可能に嵌る（つまり、移動部材８０は案内部材１００に摺動可能に接触する）。案内部材１００は、移動部材８０の回転に従動して、支軸部１０９を中心に回転する。一対の連結棒１０８は、前下方から後上方に沿って隙間を空けて配置される。各連結棒１０８は、左右方向に延び、一対の対向壁部１０５を連結する。以下、一対の連結棒１０８の間の隙間を、案内孔１１０と称す。案内孔１１０は、遊技球Ｐが通過可能な隙間である。
【００３３】
案内部材１００の重心位置は、支軸部１０９よりも後下方にある。従って、案内部材１００は、支軸部１０９を中心に右側面視で反時計回りに付勢されており、移動部材８０の板部８３と作動部材６０の突出部６３との接触により回転を規制されている。
【００３４】
案内部材１００は、第一案内位置（図７、図９（ｄ）参照）と第二案内位置（図８（ａ）参照）との間を回転可能である。案内部材１００は、右側面視で反時計回りに回転することで、第二案内位置から第一案内位置に到達する。
【００３５】
案内部材１００が第一案内位置にある場合（図７参照）、前側の連結棒１０８は傾斜部３２の下方にあり、後側の連結棒１０８は入球口３９Ａの上下方向略中心に配置される。このとき、開口穴４９に進入した遊技球Ｐは、後側の連結棒１０８によって入球口３９Ａへの入球が不能となり、案内孔１１０を通過して第一経路４１に案内される。案内部材１００が第二案内位置にある場合（図８（ａ）参照）、前側の連結棒１０８は開口穴４９の前後方向略中心に配置され、後側の連結棒１０８は入球口３９Ａの後上方に配置される。このとき、開口穴４９に進入した遊技球Ｐは、前側の連結棒１０８によって、第一経路４１に流下不能となり、案内孔１１０して入球口３９Ａへ入球する。結果、遊技球Ｐは、第二経路４２に案内される。
【００３６】
図７を参照し、閉状態の入球装置３０に流下する遊技球Ｐの流下経路を説明する。上述したように、入球装置３０が閉状態であるとき、案内部材１００は第一案内位置にあり、可動部材７０は退避位置にあり、回転体５０は非作動回転位置にある。
【００３７】
開口穴４９に進入した遊技球Ｐは、凸部３１、傾斜部３２に当たり、減速しながら流下した後、一対の連結棒１０８まで到達する。後側にある連結棒１０８によって入球口３９Ａへの入球を規制された遊技球Ｐは、案内孔１１０を通過して、第一経路４１に案内される。入球装置３０が閉状態であるとき、開口穴４９に進入する遊技球Ｐは、すべて第一経路４１に振り分けられる。
【００３８】
図７〜図９を参照し、閉状態と開状態との間で変化する入球装置３０の動作を説明する。動作開始前、入球装置３０は閉状態である。
【００３９】
図７、図８（ａ）に示すように、遊技球Ｐが第三経路４３を流下する。例えば大当たり判定がなされた場合に、振分装置（図示略）は、普通電動役物１８（図２参照）に入球した遊技球Ｐを一球だけ第三経路４３に向けて振り分けることで、第三経路４３に遊技球Ｐが流下する。遊技球Ｐは、案内部４３Ａに当たって減速し且つ球当接部９１に向けて案内される。遊技球Ｐは、案内部４３Ａに当たることなく球当接部９１に到達してもよい。
【００４０】
遊技球Ｐは、球当接部９１を押し下げながら流下する。規制部材９０は右側面視で時計回りに回転し、接触突部９３は内面８４Ａから大きく離間し、球当接部９１は、移動部材８０の孔８１Ａに進入する。次いで、遊技球Ｐは、移動部材８０の球当接部８１に当たって押し下げる。移動部材８０は右側面視で時計回りに回転する。移動部材８０のピン８５は、可動部材７０の壁部７３と案内部材１００の一対の摺動孔１０７とに対して摺動しながら、上方に移動する。ピン８５が壁部７３に対して上方に摺動するに従い、可動部材７０は右側面視で反時計回りに回転する。同時に、ピン８５が一対の摺動孔１０７に対して摺動することで、第一案内位置にあった案内部材１００は、右側面視で反時計回りに回転する。
【００４１】
ピン８５が壁部７３に乗り上げるタイミングで、案内部材１００は第二案内位置に到達する。ピン８５が乗り上げることで、可動部材７０は、右側面視で反時計回りに回転する。円筒部７２が緩衝材３７に接触した後に、一対のフック部７５は作動部材６０の筒状部６２に接触し、可動部材７０は停止する（図８（ａ）参照）。
【００４２】
図８（ａ）、（ｂ）に示すように、遊技球Ｐが球当接部９１から下方に離間することで、規制部材９０は右側面視で反時計回りに回転する。接触突部９３が内面８４Ａに接触する回転位置にて、規制部材９０は停止する。接触突部９３と内面８４Ａとの接触により、移動部材８０は、軸部材８９を中心とした右側面視反時計回りへの回転を規制され、それ故、案内部材１００は第二案内位置から第一案内位置に向けた回転を規制される。
【００４３】
図８（ｂ）、（ｃ）に示すように、案内部材１００が第二案内位置に到達した後に最初に開口穴４９に進入した遊技球Ｐ（以下、便宜上「遊技球Ｐ１」と称す）は、前側の連結棒１０８に当たって後方に案内され、案内孔１１０と入球口３９Ａを通過して回転体５０に到達する。遊技球Ｐ１は、回転体５０のうちで一つの当接部５３のみに当たる。遊技球Ｐ１の流下する力によって、回転体５０は右側面視で反時計回りに約６０°回転する（図８（ｃ）の矢印Ｒ１）。回転する回転体５０は、遊技球Ｐ１を第二経路４２に案内する。
【００４４】
回転する回転体５０の当接部５３によって、作動部材６０の筒状部６２は上方に押し上げられる。作動部材６０の突出部６３は、移動部材８０の板部８３には到達しない。別の当接部５３が、筒状部６２の下方まで回転移動し、第一対向部５１と第二対向部５２（図５参照）は一対のフック部７５部に接触して前方に付勢する。可動部材７０は、第一規制位置から第二規制位置に向けて回転する。これにより壁部７３は前方に変位するが、ピン８５は壁部７３によって支持されたままなので、案内部材１００は回転しない。つまり、案内部材１００は第二案内位置に配置されたままとなる。
【００４５】
回転体５０の回転に伴い徐々に下降する筒状部６２が、下方にある当接部５３に嵌ることで、回転体５０は回転停止する（図８（ｃ）参照）。これにより、回転体５０の回転位置は、非作動回転位置から作動回転位置に切り替わり、可動部材７０は第二規制位置で停止する。筒状部６２は、回転体５０の当接部５３と湾曲面Ｓ（図５参照）に摺動可能に接触する。遊技球Ｐ１に続く二球の遊技球Ｐ（以下、便宜上、先頭から順に「遊技球Ｐ２」、「遊技球Ｐ３」と称す）が開口穴４９を進入する（図８（ｃ）参照）。
【００４６】
図９（ａ）、（ｂ）に示すように、遊技球Ｐ２は、前側の連結棒１０８によって回転体５０に向けて案内される。遊技球Ｐ２は、回転体５０の当接部５３と湾曲面Ｓに接触して、回転体５０を右側面視反時計回りに回転させる。遊技球Ｐ２は、回転体５０の回転によって、第二経路４２に案内される。
【００４７】
回転体５０の回転によって、第一対向部５１と第二対向部５２（図５参照）が、それぞれ一対のフック部７５を前方に付勢し、可動部材７０は、第二規制位置から右側面視反時計回りに回転する。可動部材７０の回転によって、壁部７３はピン８５よりも前方に変位する。これにより、移動部材８０は、自重によって右側面視で反時計回りに回転する。移動部材８０の回転により前下方に変位するピン８５は、可動部材７０を退避位置に向けて移動させると共に、案内部材１００を第一案内位置に向けて回転させる。また、移動部材８０が回転することで、移動部材８０の内面８４Ａは、規制部材９０の接触突部９３よりも下方に変位する。規制部材９０は右側面視で反時計回りに回転する。移動部材８０が作動部材６０の突出部６３の上端に接触して停止するとき、可動部材７０は退避位置に到達し、案内部材１００は第一案内位置に到達する。同時に、作動部材６０の筒状部６２は下方にある当接部５３に嵌り、回転体５０の回転位置は、作動回転位置から非作動回転位置に切り替わる。また、球当接部９１は連結棒１０８に下方から接触し、規制部材９０は停止し、接触突部９３は上方から板部８３に対向する。入球装置３０は閉状態に戻る。
【００４８】
遊技球Ｐ３が入球口３９Ａに進入するまでには、入球装置３０は閉状態に戻る。従って、遊技球Ｐ３は、入球口３９Ａに進入できず、第一経路４１に向けて案内される。
【００４９】
以上説明したように、案内部材１００は、第一案内位置にある場合には遊技球Ｐを第一経路４１に案内し、第二案内位置にある場合には遊技球Ｐを第二経路４２に案内する。回転体５０は、遊技球Ｐが流下する力で回転し、作動部材６０を上方に回転移動させる。作動部材６０によって回転させられる移動部材８０は、案内部材１００を第一案内位置から第二案内位置まで回転させる。つまり、案内部材１００は、遊技球Ｐが流下する力で第一案内位置から第二案内位置に回転する。パチンコ機１は、モータ等の駆動源を備えることなく、案内部材１００を第一案内位置から第二案内位置まで回転できる。よって、パチンコ機１は、遊技球Ｐを案内する経路を簡易な機構で切り替えることができる。
【００５０】
回転体５０によって回転移動させられる作動部材６０は、移動部材８０を上方に付勢する。これにより、移動部材８０は回転移動する、回転移動する移動部材８０は案内部材１００を第一案内位置から第二案内位置に回転させる。回転体５０の回転力で作動部材６０が上下方向に回転移動するので、移動部材８０は上下方向に回転移動し易くなる。これにより、第二案内位置から第一案内位置に移動するとき、後方の連結棒１０８は、後上方へ大きく移動するので、遊技球Ｐは入球口３９Ａに入球し易くなる。
【００５１】
入球装置３０が閉状態であるとき、規制部材９０の接触突部９３は、移動部材８０の内面８４Ａに対して、軸部材８９を中心とした右側面視反時計回り側から対向し、移動部材８０の右側面視時計回り側への回転を規制する。また、入球装置３０が開状態であるとき（図８（ｃ）、図９（ａ）参照）、規制部材９０の接触突部９３は、移動部材８０の板部８３に対して、軸部材８９を中心とした右側面視反時計回り側から対向し、移動部材８０の右側面視時計回り側への回転を規制する。従って、パチンコ機１に突発的な振動が作用したときであても、入球装置３０が閉状態であるか開状態であるか否かに関わらず、移動部材８０は上側への回転移動を規制部材９０によって規制される。従って、案内部材１００は位置ずれしにくい。
【００５２】
入球装置３０は、閉状態である場合に遊技球Ｐを第一経路４１に案内し、開状態である場合に遊技球Ｐを第二経路４２に案内する。入球装置３０は、入球口３９Ａを遊技球Ｐ１，Ｐ２が通過するまで開状態を維持する。そして、遊技球Ｐ２が通過した直後、回転体５０の回転位置は作動回転位置から非作動回転位置に切り替わる過程で、入球装置３０は開状態から閉状態に変化する。入球装置３０は、モータ等の駆動源を備えることなく、開状態から閉状態に変化できる。よって、遊技球Ｐを振り分ける経路を簡易な機構で切り替えることができるパチンコ機１が実現する。
【００５３】
第三経路４３を流下する遊技球Ｐが、球当接部９１，８１に順に当たることで、入球装置３０は、閉状態から開状態に切り替わる。入球装置３０は、モータ等の駆動源を備えることなく閉状態と開状態との間を変化できるので、パチンコ機１は入球装置３０を更に簡易化できる。
【００５４】
遊技球Ｐ２によって回転体５０が回転する時、回転体５０の回転位置は作動回転位置から非作動回転位置に切り替わり、作動部材６０及び移動部材８０が移動させられて、案内部材１００は第二案内位置から第一案内位置に移動する。回転体５０の回転位置が作動回転位置から非作動回転位置に切り替わるタイミングで、案内部材１００は第二案内位置から第一案内位置に移動できる。よって、入球装置３０は、二球目で確実に開状態から閉状態に変化できる。
【００５５】
遊技球Ｐ１が回転体５０を回転させるタイミングで、可動部材７０は第二規制位置に配置される。これにより、遊技球Ｐ２が回転体５０を回転させるとき（図９（ａ）参照）、可動部材７０は回転体５０が回りすぎるのを抑制できる。よって、回転体５０は遊技球Ｐ２を第二経路４２に安定的に案内できると共に、遊技球Ｐ３の第二経路４２への流下を確実に阻止できる。特に、本実施形態では、可動部材７０が第二規制位置から退避位置へと回転移動するとき（図９（ａ）、（ｂ）参照）、移動部材８０の左側面視反時計回りの回転が許容され、案内部材１００の第二案内位置から第一案内位置への回転が許容される。これにより、案内部材１００は素早く第一案内位置に回転できるので、遊技球Ｐ３が回転体５０へと流下するのを更に確実に阻止できる。
【００５６】
遊技球Ｐ２と当接部５３との接触で回転体５０が回転する場合、当接部５３の左右両側にある第一対向部５１と第二対向部５２がそれぞれ一対のフック部７５を後方へ移動させる。これにより、遊技球Ｐ２との接触で回転する回転体５０の回転力が、左右均一に可動部材７０に伝わる。よって、回転体５０は軸部材５９を中心に安定的に回転でき、可動部材７０は安定的に軸部材７９を中心に回転できる。
【００５７】
パチンコ機１は、案内部材１００と移動部材８０を備える。案内部材１００は、第一案内位置にある場合には遊技球Ｐを第一経路４１に案内し、第二案内位置にある場合には遊技球Ｐを第二経路４２に案内する。移動部材８０は、案内部材１００と摺動可能に接触し、案内部材１００を第一案内位置と第二案内位置との間で回転移動させる。移動部材８０は、第三経路４３を流下する遊技球Ｐと当接して、軸部材８９を中心に回転することで、案内部材１００を第二案内位置から第一案内位置に回転させる。パチンコ機１は、モータ等の駆動源を備えることなく、案内部材１００を第二案内位置から第一案内位置に回転させる。よって、パチンコ機１は、遊技球Ｐを案内する経路を簡易な機構で切り替えることができる。
【００５８】
規制部材９０は、第三経路４３を流下する遊技球Ｐとの当接によって、軸部材９９を中心に右側面視で時計回りに回転する。その直度、移動部材８０は、第三経路４３を流下する遊技球Ｐとの当接によって、軸部材８９を中心に右側面視で時計回りに回転する。接触突部９３が上方に移動しているので、移動部材８０は、規制部材９０を避けて回転できる。よって、遊技球Ｐが第三経路４３を流下することに伴い、移動部材８０が安定的に回転できるので、案内部材１００は、第二案内位置から第一案内位置に安定的に回転できる。特に本実施形態では、球当接部９１が、移動部材８０の孔８３Ａに進入できるので、規制部材９０の回転量を大きくなり、接触突部９３の上昇量が増大する。よって、移動部材８０は更に確実に規制部材９０を避けて回転できるので、案内部材１００の回転移動は更に安定化する。
【００５９】
第三経路４３を流下する遊技球Ｐは、規制部材９０の球当接部９１に接触してから、移動部材８０の球当接部８１に接触する。接触突部９３は、移動部材８０の回転開始前に上昇するので、移動部材８０は、規制部材９０による規制をより確実に回避できる。よって、案内部材１００は、第二案内位置から第一案内位置に更に回転移動し易くなる。
【００６０】
以上説明にて、パチンコ機１は本発明の「遊技機」の一例である。規制部材９０は本発明の「対向部材」の一例である。
【００６１】
本発明は上記実施例に限定されない。案内部材１００は、支軸部１０９を中心に回転可能である代わりに、直線移動可能であってもよい。例えば、ピン８５と案内部材１００の間に周知のクランク機構が設けられれば、案内部材１００は移動部材８０の回転力で直線移動可能となる。
【００６２】
作動部材６０は、軸部材６９に回転移動可能に設けられる代わりに、例えば上下動可能に設けられてもよい。移動部材８０は、軸部材８９に回転可能に設けられる代わりに、例えば前後動可能に設けられてもよい。
【００６３】
図１０に示すように、回転体１５０は、当接部１５３、第一対向部１５１、及び第二対向部（図示外）を備える。当接部１５３は、軸部材５９の周方向に沿って等間隔に三つ配置される。第一対向部１５１は、特定の当接部１５３と左右方向に並ぶ位置に一つ設けられる。第一対向部１５１の形状は、第一対向部５１の形状と同一である。第二対向部は、特定の当接部５３を挟んで第一対向部１５１と左右対称である。
【００６４】
入球口３９Ａに入球する遊技球Ｐが、当接部１５３に当たるたびに、回転体１５０は１２０°回転する。図１０で示される第一対向部１５１と第二対向部が筒状部６２（図７参照）の下方にある回転位置（作動回転位置）から、回転体１５０が１２０°回転することで、回転体１５０の回転は非作動回転位置に切り替わり、案内部材１００は第二案内位置から第一案内位置に回転できる。その後、第三経路４３に遊技球Ｐが流下して、案内部材１００は第一案内位置から第二案内位置に移動する。入球口３９Ａに遊技球Ｐが入球する度に回転体１５０は回転する。入球口３９Ａに二球の遊技球Ｐが入球することで、回転体１５０は合計で２４０°回転し、回転体１５０の回転位置は非作動回転位置から作動回転位置（図１０参照）に切り替わる。そして、三球目の遊技球が入球口３９Ａに入球して回転体１５０を回転させることで、案内部材１００は、第二案内位置から第一案内位置に移動する。つまり、回転体１５０を入球装置３０に搭載すれば、入球装置３０の規定球数は三球になる。
【００６５】
規定球数は、二球以上であることに限定されない。以下、図１１を参照し、規定球数が一球となる入球装置１３０を説明する。図１１では、入球装置３０と同一部材に同一符号を付与する。入球装置１３０は、回転体５０に代えて、回転体２５０を備える。回転体２５０は、六つの第一対向部５１と、六つの第二対向部５２（図５参照）とを備える。六つの第一対向部５１は回転体２５０の回転方向に等間隔に配置される。第二対向部５２も同様に等間隔に配置される。回転体２５０は、回転体５０と同様、当接する一球の遊技球Ｐから受ける力により、１２０°回転する。
【００６６】
入球装置１３０が閉状態である場合に、遊技球Ｐが第三経路４３を流下すると、規制部材９０と移動部材８０がそれぞれ回転する。これにより、可動部材７０は、退避位置（図１１（ａ）参照）から、第二規制位置（図１１（ｂ）参照）まで回転移動する（本変形例では、可動部材７０は、第一規制位置には回転移動しない）。可動部材７０が第二規制位置に移動することで、案内部材１００は、第一案内位置から第二案内位置まで移動する（図１１（ｂ）参照）。これにより、入球装置１３０は閉状態から開状態に変化する。
【００６７】
遊技球Ｐ１が案内部材１００により回転体２５０に向けて案内される。遊技球Ｐ１が回転体２５０に接触することにより、回転体２５０は、右側面視で約１２０°回転する。回転体２５０の回転に伴い、第一対向部５１と第二対向部５２は、一対のフック部７５を前方に付勢する。結果、可動部材７０は退避位置まで移動し、案内部材１００は第一案内位置まで移動する（作動部材６０、移動部材８０、及び規制部材９０の動作は、上述の実施例と同じであるので、説明を省略する）。入球装置１３０は、開状態から閉状態に変化する。よって、規定球数が一球となる入球装置１３０が実現する。
【００６８】
また、請求項、明細書および図面に記載される全ての要素（例えば、図柄表示装置、大入賞装置、始動入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「入球装置」は、ハード単体でも、ソフトを含んだものであっても構わない。 
【００６９】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００７０】
１        パチンコ機
４１      第一経路
４２      第二経路
４        遊技領域
４０      装飾体
５０、１５０、２５０      回転体
６０      作動部材
８０      移動部材
９０      規制部材
Ｐ        遊技球
【図１】
2019170806.tif 000003
【図２】
2019170806.tif 000004
【図３】
2019170806.tif 000005
【図４】
2019170806.tif 000006
【図５】
2019170806.tif 000007
【図６】
2019170806.tif 000008
【図７】
2019170806.tif 000009
【図８】
2019170806.tif 000010
【図９】
2019170806.tif 000011
【図１０】
2019170806.tif 000012
【図１１】
2019170806.tif 000013